(57)【要約】【課題】  電源システム稼働時に、最初に電源異常が発生し、基準電圧外の電流値となった電源ユニットを検出する。【解決手段】  稼働中に、電源ユニット１−１が、電源異常を発生すると、出力電流報告信号が基準電圧以下になり、電源異常信号がアクティブ（“１”）になる。電源制御部３０の電圧比較回路３−１−１は、出力電流報告信号と基準電圧とを比較し、基準電圧以下を検出し、“１”を出力する。ＡＮＤ回路３−２−１の出力が、“１”になり、ＲＳフリップ・フロップ３−３−１の内部値が“１”にセットされる。エンコーダ３２は、ＲＳフリップ・フロップ３−３−１〜ＲＳフリップ・フロップ３−３−Ｎの出力をエンコードし、電源ユニット１−１〜電源ユニット１−Ｎのどれが異常であるかを示す異常ユニット表示用信号を出力する。表示部４０は、異常ユニット表示用信号に基づき表示を行う。【選択図】      図１
2008054434.tif 000002
【特許請求の範囲】
【請求項１】
複数の電源ユニットからのレベル信号である出力電流報告信号が基準電圧外であるかどうかをそれぞれ検出し、基準電圧外であり、かつ、対応する前記電源ユニットからの電圧が基準外であることを示す電源異常信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力することを特徴とする電源制御装置。
【請求項２】
電源ユニット対応の電圧比較回路、電源ユニット対応のＡＮＤ回路、電源ユニット対応の記憶回路、ＮＯＲ回路、および、エンコーダを備え、
前記電圧比較回路が、対応する前記電源ユニットからのレベル信号である出力電流報告信号と基準電圧とを比較し基準電圧外であるとアクティブである基準電圧外信号を出力し、前記ＡＮＤ回路が、「対応する基準電圧外信号」と「対応する前記電源ユニットからの電圧が基準外であることを示す電源異常信号」と「前記ＮＯＲ回路の出力」との論理積を生成し電源異常確定信号として出力し、
前記記憶回路が、前記電源異常確定信号の立ち上がりで内部状態を“１”にセットし、
前記ＮＯＲ回路が、全ての前記記憶回路の出力のＮＯＲ信号を生成し、
前記エンコーダが、全ての前記記憶回路の出力から“１”である前記記憶回路に対応する前記電源ユニットが電源異常であることを示す異常ユニット表示用信号を出力することを特徴とする電源制御装置。
【請求項３】
電圧が基準外であることを示す電源異常信号、および、出力電流のレベルを示す出力電流報告信号を出力する負荷に並列接続された複数の電源ユニットと、
前記電源ユニットからの出力電流報告信号が基準電圧外であるかどうかをそれぞれ検出し、基準電圧外であり、かつ、対応する前記電源ユニットからの電源異常信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する電源制御装置と、
を有することを特徴とする電源システム。
【請求項４】
電圧が基準外であることを示す電源異常信号、および、出力電流のレベルを示す出力電流報告信号を出力する負荷に並列接続された複数の電源ユニットと、
前記電源ユニット対応の電圧比較回路、電源ユニット対応のＡＮＤ回路、電源ユニット対応の記憶回路、ＮＯＲ回路、および、エンコーダを備え、前記電圧比較回路が、対応する前記電源ユニットからのレベル信号である出力電流報告信号と基準電圧とを比較し基準電圧外であるとアクティブである基準電圧外信号を出力し、前記ＡＮＤ回路が、「対応する基準電圧外信号」と「対応する前記電源ユニットからの電源異常信号」と「前記ＮＯＲ回路の出力」との論理積を生成し電源異常確定信号として出力し、前記記憶回路が、前記電源異常確定信号の立ち上がりで内部状態を“１”にセットし、前記ＮＯＲ回路が、全ての前記記憶回路の出力のＮＯＲ信号を生成し、前記エンコーダが、全ての前記記憶回路の出力から“１”である前記記憶回路に対応する前記電源ユニットが電源異常であることを示す異常ユニット表示用信号を出力する電源制御装置と、
を有することを特徴とする電源システム。
【請求項５】
電圧が基準外であることを示す電源異常信号、および、出力電流のレベルを示す出力電流報告信号を出力する負荷に並列接続された複数の電源ユニットと、
前記電源ユニットからの出力電流報告信号が基準電圧外であるかどうかをそれぞれ検出し、基準電圧外であり、かつ、対応する前記電源ユニットからの電源異常信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する電源制御装置と、
前記電源制御装置からの異常ユニット表示用信号に基づいて表示を行う表示装置と、
を有することを特徴とする電源システム。
【請求項６】
電圧が基準外であることを示す電源異常信号、および、出力電流のレベルを示す出力電流報告信号と基準電圧とを比較し基準電圧外であるとアクティブである基準電圧外信号を出力する負荷に並列接続された複数の電源ユニットと、
前記電源ユニットからの基準電圧外信号がアクティブであり、かつ、対応する前記電源ユニットからの電源異常信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する電源制御装置と、
前記電源制御装置からの異常ユニット表示用信号に基づいて表示を行う表示装置と、
を有することを特徴とする電源システム。
【請求項７】
電圧が基準外であることを示す電源異常信号を生成し、出力電流のレベルを示す出力電流報告信号と基準電圧とを比較し基準電圧外であるとアクティブである基準電圧外信号を生成し、電源異常信号と基準電圧外信号との論理積である電源異常確定信号を出力する負荷に並列接続された複数の電源ユニットと、
電源異常確定信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する電源制御装置と、
前記電源制御装置からの異常ユニット表示用信号に基づいて表示を行う表示装置と、
を有することを特徴とする電源システム。
【請求項８】
差動増幅回路により出力に直列に接続された電流検出抵抗の両端電圧の電位差をとり、出力電流に比例したアナログレベル電圧を持つ出力電流報告信号を生成する出力電流検出部と、出力電圧を抵抗により分圧した電圧を比較器に入力し、基準電圧と比較し、出力電圧が一定の範囲内から外れた場合にアクティブとなる電源異常信号を生成する電源異常検出部とを備える前記電源ユニットを有することを特徴とする請求項３ないし７のいずれかに記載の電源システム。
【請求項９】
複数の電源ユニットからのレベル信号である出力電流報告信号が基準電圧外であるかどうかをそれぞれ検出し、基準電圧外であり、かつ、対応する前記電源ユニットからの電圧が基準外であることを示す電源異常信号がアクティブであると電源異常と確定し対応する記憶回路に電源異常であることを示す値をセットする手順と、１つの前記記憶回路に電源異常であることを示す値がセットされると、残りの前記記憶回路のセットを抑止し、電源異常と確定した前記電源ユニットを示す異常ユニット表示用信号を出力する手順とを含むことを特徴とする電源制御方法。
【請求項１０】
電源ユニット対応の電圧比較回路、電源ユニット対応のＡＮＤ回路、電源ユニット対応の記憶回路、ＮＯＲ回路、および、エンコーダを備える電源制御装置における電源制御方法であって、
前記電圧比較回路が、対応する前記電源ユニットからのレベル信号である出力電流報告信号と基準電圧とを比較し基準電圧外であるとアクティブである基準電圧外信号を出力する手順と、
前記ＡＮＤ回路が、「対応する基準電圧外信号」と「対応する前記電源ユニットからの電圧が基準外であることを示す電源異常信号」と「前記ＮＯＲ回路の出力」との論理積を生成し電源異常確定信号として出力する手順と、
前記記憶回路が、前記電源異常確定信号の立ち上がりで内部状態を“１”にセットする手順と、
前記ＮＯＲ回路が、全ての前記記憶回路の出力のＮＯＲ信号を生成する手順と、
前記エンコーダが、全ての前記記憶回路の出力から“１”である前記記憶回路に対応する前記電源ユニットが電源異常であることを示す異常ユニット表示用信号を出力する手順と、
を含むことを特徴とする電源制御方法。
【請求項１１】
電圧が基準外であることを示す電源異常信号、および、出力電流のレベルを示す出力電流報告信号を出力する負荷に並列接続された複数の電源ユニットと、電源制御装置とを備える電源システムにおける電源制御方法であって、
前記電源制御装置が、
前記電源ユニットからの出力電流報告信号が基準電圧外であるかどうかをそれぞれ検出し、基準電圧外であり、かつ、対応する前記電源ユニットからの電源異常信号がアクティブであると電源異常と確定し対応する記憶回路に電源異常であることを示す値をセットする手順と、
１つの前記記憶回路に電源異常であることを示す値がセットされると、残りの前記記憶回路のセットを抑止し、電源異常と確定した前記電源ユニットを示す異常ユニット表示用信号を出力する手順とを、
含むことを特徴とする電源制御方法。
【請求項１２】
電圧が基準外であることを示す電源異常信号、および、出力電流のレベルを示す出力電流報告信号を出力する負荷に並列接続された複数の電源ユニットと、
前記電源ユニット対応の電圧比較回路、電源ユニット対応のＡＮＤ回路、電源ユニット対応の記憶回路、ＮＯＲ回路、および、エンコーダを備える電源制御装置と、
を有する電源システムにおける電源制御方法であって、
前記電圧比較回路が、対応する前記電源ユニットからのレベル信号である出力電流報告信号と基準電圧とを比較し基準電圧外であるとアクティブである基準電圧外信号を出力する手順と、
前記ＡＮＤ回路が、「対応する基準電圧外信号」と「対応する前記電源ユニットからの電源異常信号」と「前記ＮＯＲ回路の出力」との論理積を生成し電源異常確定信号として出力する手順と、
記記憶回路が、前記電源異常確定信号の立ち上がりで内部状態を“１”にセットする手順と、
前記ＮＯＲ回路が、全ての前記記憶回路の出力のＮＯＲ信号を生成する手順と、
前記エンコーダが、全ての前記記憶回路の出力から“１”である前記記憶回路に対応する前記電源ユニットが電源異常であることを示す異常ユニット表示用信号を出力する手順と、
を含むことを特徴とする電源制御方法。
【請求項１３】
電圧が基準外であることを示す電源異常信号、および、出力電流のレベルを示す出力電流報告信号を出力する負荷に並列接続された複数の電源ユニットと、電源制御装置と、表示装置とを備える電源システムにおける電源制御方法であって、
前記電源制御装置が、
前記電源ユニットからの出力電流報告信号が基準電圧外であるかどうかをそれぞれ検出し、基準電圧外であり、かつ、対応する前記電源ユニットからの電源異常信号がアクティブであると電源異常と確定し対応する記憶回路に電源異常であることを示す値をセットする手順と、１つの前記記憶回路に電源異常であることを示す値がセットされると、残りの前記記憶回路のセットを抑止する手順と、電源異常と確定した前記電源ユニットを示す異常ユニット表示用信号を出力する手順と、
前記表示装置が、前記電源制御装置からの異常ユニット表示用信号に基づいて表示を行う手順と、
を含むことを特徴とする電源制御方法。
【請求項１４】
電圧が基準外であることを示す電源異常信号、および、出力電流のレベルを示す出力電流報告信号と基準電圧とを比較し基準電圧外であるとアクティブである基準電圧外信号を出力する負荷に並列接続された複数の電源ユニットと、電源制御装置と、表示装置とを備える電源システムにおける電源制御方法であって、
前記電源制御装置が、
前記電源ユニットからの基準電圧外信号がアクティブであり、かつ、対応する前記電源ユニットからの電源異常信号がアクティブであると電源異常と確定し対応する記憶回路に電源異常であることを示す値をセットする手順と、１つの前記記憶回路に電源異常であることを示す値がセットされると、残りの前記記憶回路のセットを抑止する手順と、電源異常と確定した前記電源ユニットを示す異常ユニット表示用信号を出力する手順と電源制御装置と、
前記表示装置が、前記電源制御装置からの異常ユニット表示用信号に基づいて表示を行う手順と、
を含むことを特徴とする電源制御方法。
【請求項１５】
電圧が基準外であることを示す電源異常信号を生成し、出力電流のレベルを示す出力電流報告信号と基準電圧とを比較し基準電圧外であるとアクティブである基準電圧外信号を生成し、電源異常信号と基準電圧外信号との論理積である電源異常確定信号を出力する負荷に並列接続された複数の電源ユニットと、電源制御装置と、表示装置とを備える電源システムにおける電源制御方法であって、
前記電源制御装置が
電源異常確定信号がアクティブであると電源異常と確定し対応する記憶回路に電源異常であることを示す値をセットする手順と、１つの前記記憶回路に電源異常であることを示す値がセットされると、残りの前記記憶回路のセットを抑止する手順と、電源異常と確定した前記電源ユニットを示す異常ユニット表示用信号を出力する手順と、
前記表示装置が、前記電源制御装置からの異常ユニット表示用信号に基づいて表示を行う手順と、
を含むことを特徴とする電源制御方法。
【発明の詳細な説明】
【技術分野】
【０００１】
本発明は、電源制御装置、電源システム、電源制御方法に関し、特に、稼働時の電源異常を検出できる電源制御装置、電源システム、電源制御方法に関する。
【背景技術】
【０００２】
従来の電源システムの一例が、特許文献１に記載されている。この従来の電源システムは、電源ユニットの電源出力動作を検出する電源シーケンス検出装置を備え、Ｎ個の電源ユニットと、Ｎ個の電源ユニットの電源出力の立ち上げ駆動を制御する電源制御部と、立ち上げ駆動のタイミングにおいてＮ個の電源ユニットのそれぞれの出力電圧相互の値を予め定めた規定値と比較し、ロジック信号を出力する比較器とを有し、ロジック信号の出力により、Ｎ個の電源ユニットの電源出力の正常・異常の識別を可能としている。
【０００３】
【特許文献１】特開２０００−１８８８２９号公報
【発明の開示】
【発明が解決しようとする課題】
【０００４】
上述した従来の電源システムには、電源システムの起動時の異常しか検出できないという問題点がある。その理由は、複数の電源ユニットの出力電圧相互の関係を比較しているからである。
【０００５】
本発明の目的は、上記問題点を解決する電源制御装置、電源システム、電源制御方法を提供することである。
【課題を解決するための手段】
【０００６】
本発明の第１の電源制御装置は、複数の電源ユニットからのレベル信号である出力電流報告信号が基準電圧外であるかどうかをそれぞれ検出し、基準電圧外であり、かつ、対応する前記電源ユニットからの電圧が基準外であることを示す電源異常信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する。
【０００７】
本発明の第２の電源制御装置は、電源ユニット対応の電圧比較回路、電源ユニット対応のＡＮＤ回路、電源ユニット対応の記憶回路、ＮＯＲ回路、および、エンコーダを備え、前記電圧比較回路が、対応する前記電源ユニットからのレベル信号である出力電流報告信号と基準電圧とを比較し基準電圧外であるとアクティブである基準電圧外信号を出力し、前記ＡＮＤ回路が、「対応する基準電圧外信号」と「対応する前記電源ユニットからの電圧が基準外であることを示す電源異常信号」と「前記ＮＯＲ回路の出力」との論理積を生成し電源異常確定信号として出力し、前記記憶回路が、前記電源異常確定信号の立ち上がりで内部状態を“１”にセットし、前記ＮＯＲ回路が、全ての前記記憶回路の出力のＮＯＲ信号を生成し、前記エンコーダが、全ての前記記憶回路の出力から“１”である前記記憶回路に対応する前記電源ユニットが電源異常であることを示す異常ユニット表示用信号を出力する。
【０００８】
本発明の第１の電源システムは、電圧が基準外であることを示す電源異常信号、および、出力電流のレベルを示す出力電流報告信号を出力する負荷に並列接続された複数の電源ユニットと、前記電源ユニットからの出力電流報告信号が基準電圧外であるかどうかをそれぞれ検出し、基準電圧外であり、かつ、対応する前記電源ユニットからの電源異常信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する電源制御装置と、を有する。
【０００９】
本発明の第２の電源システムは、電圧が基準外であることを示す電源異常信号、および、出力電流のレベルを示す出力電流報告信号を出力する負荷に並列接続された複数の電源ユニットと、前記電源ユニット対応の電圧比較回路、電源ユニット対応のＡＮＤ回路、電源ユニット対応の記憶回路、ＮＯＲ回路、および、エンコーダを備え、前記電圧比較回路が、対応する前記電源ユニットからのレベル信号である出力電流報告信号と基準電圧とを比較し基準電圧外であるとアクティブである基準電圧外信号を出力し、前記ＡＮＤ回路が、「対応する基準電圧外信号」と「対応する前記電源ユニットからの電源異常信号」と「前記ＮＯＲ回路の出力」との論理積を生成し電源異常確定信号として出力し、前記記憶回路が、前記電源異常確定信号の立ち上がりで内部状態を“１”にセットし、前記ＮＯＲ回路が、全ての前記記憶回路の出力のＮＯＲ信号を生成し、前記エンコーダが、全ての前記記憶回路の出力から“１”である前記記憶回路に対応する前記電源ユニットが電源異常であることを示す異常ユニット表示用信号を出力する電源制御装置と、を有する。
【００１０】
本発明の第３の電源システムは、電圧が基準外であることを示す電源異常信号、および、出力電流のレベルを示す出力電流報告信号を出力する負荷に並列接続された複数の電源ユニットと、前記電源ユニットからの出力電流報告信号が基準電圧外であるかどうかをそれぞれ検出し、基準電圧外であり、かつ、対応する前記電源ユニットからの電源異常信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する電源制御装置と、前記電源制御装置からの異常ユニット表示用信号に基づいて表示を行う表示装置と、を有する。
【００１１】
本発明の第４の電源システムは、電圧が基準外であることを示す電源異常信号、および、出力電流のレベルを示す出力電流報告信号と基準電圧とを比較し基準電圧外であるとアクティブである基準電圧外信号を出力する負荷に並列接続された複数の電源ユニットと、前記電源ユニットからの基準電圧外信号がアクティブであり、かつ、対応する前記電源ユニットからの電源異常信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する電源制御装置と、前記電源制御装置からの異常ユニット表示用信号に基づいて表示を行う表示装置と、を有する。
【００１２】
本発明の第５の電源システムは、電圧が基準外であることを示す電源異常信号を生成し、出力電流のレベルを示す出力電流報告信号と基準電圧とを比較し基準電圧外であるとアクティブである基準電圧外信号を生成し、電源異常信号と基準電圧外信号との論理積である電源異常確定信号を出力する負荷に並列接続された複数の電源ユニットと、電源異常確定信号がアクティブであると電源異常と確定し対応する記憶回路に電源異常であることを示す値をセットし、１つの前記記憶回路に電源異常であることを示す値がセットされると、残りの前記記憶回路のセットを抑止し、電源異常と確定した前記電源ユニットを示す異常ユニット表示用信号を出力する電源制御装置と、前記電源制御装置からの異常ユニット表示用信号に基づいて表示を行う表示装置と、を有する。
【００１３】
本発明の第６の電源システムは、前記第１ないし第５のいずれかの電源システムであって、差動増幅回路により出力に直列に接続された電流検出抵抗の両端電圧の電位差をとり、出力電流に比例したアナログレベル電圧を持つ出力電流報告信号を生成する出力電流検出部と、出力電圧を抵抗により分圧した電圧を比較器に入力し、基準電圧と比較し、出力電圧が一定の範囲内から外れた場合にアクティブとなる電源異常信号を生成する電源異常検出部とを備える前記電源ユニットを有する。
【００１４】
本発明の第１の電源制御方法は、複数の電源ユニットからのレベル信号である出力電流報告信号が基準電圧外であるかどうかをそれぞれ検出し、基準電圧外であり、かつ、対応する前記電源ユニットからの電圧が基準外であることを示す電源異常信号がアクティブであると電源異常と確定し対応する記憶回路に電源異常であることを示す値をセットする手順と、１つの前記記憶回路に電源異常であることを示す値がセットされると、残りの前記記憶回路のセットを抑止し、電源異常と確定した前記電源ユニットを示す異常ユニット表示用信号を出力する手順とを含む。
【００１５】
本発明の第２の電源制御方法は、電源ユニット対応の電圧比較回路、電源ユニット対応のＡＮＤ回路、電源ユニット対応の記憶回路、ＮＯＲ回路、および、エンコーダを備える電源制御装置における電源制御方法であって、前記電圧比較回路が、対応する前記電源ユニットからのレベル信号である出力電流報告信号と基準電圧とを比較し基準電圧外であるとアクティブである基準電圧外信号を出力する手順と、前記ＡＮＤ回路が、「対応する基準電圧外信号」と「対応する前記電源ユニットからの電圧が基準外であることを示す電源異常信号」と「前記ＮＯＲ回路の出力」との論理積を生成し電源異常確定信号として出力する手順と、前記記憶回路が、前記電源異常確定信号の立ち上がりで内部状態を“１”にセットする手順と、前記ＮＯＲ回路が、全ての前記記憶回路の出力のＮＯＲ信号を生成する手順と、前記エンコーダが、全ての前記記憶回路の出力から“１”である前記記憶回路に対応する前記電源ユニットが電源異常であることを示す異常ユニット表示用信号を出力する手順と、を含む。
【００１６】
本発明の第３の電源制御方法は、電圧が基準外であることを示す電源異常信号、および、出力電流のレベルを示す出力電流報告信号を出力する負荷に並列接続された複数の電源ユニットと、電源制御装置とを備える電源システムにおける電源制御方法であって、前記電源制御装置が、前記電源ユニットからの出力電流報告信号が基準電圧外であるかどうかをそれぞれ検出し、基準電圧外であり、かつ、対応する前記電源ユニットからの電源異常信号がアクティブであると電源異常と確定し対応する記憶回路に電源異常であることを示す値をセットする手順と、１つの前記記憶回路に電源異常であることを示す値がセットされると、残りの前記記憶回路のセットを抑止し、電源異常と確定した前記電源ユニットを示す異常ユニット表示用信号を出力する手順とを、含む。
【００１７】
本発明の第４の電源制御方法は、電圧が基準外であることを示す電源異常信号、および、出力電流のレベルを示す出力電流報告信号を出力する負荷に並列接続された複数の電源ユニットと、前記電源ユニット対応の電圧比較回路、電源ユニット対応のＡＮＤ回路、電源ユニット対応の記憶回路、ＮＯＲ回路、および、エンコーダを備える電源制御装置と、を有する電源システムにおける電源制御方法であって、前記電圧比較回路が、対応する前記電源ユニットからのレベル信号である出力電流報告信号と基準電圧とを比較し基準電圧外であるとアクティブである基準電圧外信号を出力する手順と、前記ＡＮＤ回路が、「対応する基準電圧外信号」と「対応する前記電源ユニットからの電源異常信号」と「前記ＮＯＲ回路の出力」との論理積を生成し電源異常確定信号として出力する手順と、記記憶回路が、前記電源異常確定信号の立ち上がりで内部状態を“１”にセットする手順と、前記ＮＯＲ回路が、全ての前記記憶回路の出力のＮＯＲ信号を生成する手順と、前記エンコーダが、全ての前記記憶回路の出力から“１”である前記記憶回路に対応する前記電源ユニットが電源異常であることを示す異常ユニット表示用信号を出力する手順と、を含む。
【００１８】
本発明の第５の電源制御方法は、電圧が基準外であることを示す電源異常信号、および、出力電流のレベルを示す出力電流報告信号を出力する負荷に並列接続された複数の電源ユニットと、電源制御装置と、表示装置とを備える電源システムにおける電源制御方法であって、前記電源制御装置が、前記電源ユニットからの出力電流報告信号が基準電圧外であるかどうかをそれぞれ検出し、基準電圧外であり、かつ、対応する前記電源ユニットからの電源異常信号がアクティブであると電源異常と確定し対応する記憶回路に電源異常であることを示す値をセットする手順と、１つの前記記憶回路に電源異常であることを示す値がセットされると、残りの前記記憶回路のセットを抑止する手順と、電源異常と確定した前記電源ユニットを示す異常ユニット表示用信号を出力する手順と、前記表示装置が、前記電源制御装置からの異常ユニット表示用信号に基づいて表示を行う手順と、を含む。
【００１９】
本発明の第６の電源制御方法は、電圧が基準外であることを示す電源異常信号、および、出力電流のレベルを示す出力電流報告信号と基準電圧とを比較し基準電圧外であるとアクティブである基準電圧外信号を出力する負荷に並列接続された複数の電源ユニットと、電源制御装置と、表示装置とを備える電源システムにおける電源制御方法であって、前記電源制御装置が、前記電源ユニットからの基準電圧外信号がアクティブであり、かつ、対応する前記電源ユニットからの電源異常信号がアクティブであると電源異常と確定し対応する記憶回路に電源異常であることを示す値をセットする手順と、１つの前記記憶回路に電源異常であることを示す値がセットされると、残りの前記記憶回路のセットを抑止する手順と、電源異常と確定した前記電源ユニットを示す異常ユニット表示用信号を出力する手順と電源制御装置と、前記表示装置が、前記電源制御装置からの異常ユニット表示用信号に基づいて表示を行う手順と、を含む。
【００２０】
本発明の第７の電源制御方法は、電圧が基準外であることを示す電源異常信号を生成し、出力電流のレベルを示す出力電流報告信号と基準電圧とを比較し基準電圧外であるとアクティブである基準電圧外信号を生成し、電源異常信号と基準電圧外信号との論理積である電源異常確定信号を出力する負荷に並列接続された複数の電源ユニットと、電源制御装置と、表示装置とを備える電源システムにおける電源制御方法であって、前記電源制御装置が電源異常確定信号がアクティブであると電源異常と確定し対応する記憶回路に電源異常であることを示す値をセットする手順と、１つの前記記憶回路に電源異常であることを示す値がセットされると、残りの前記記憶回路のセットを抑止する手順と、電源異常と確定した前記電源ユニットを示す異常ユニット表示用信号を出力する手順と、前記表示装置が、前記電源制御装置からの異常ユニット表示用信号に基づいて表示を行う手順と、を含む。
【発明の効果】
【００２１】
本発明は、複数の電源ユニットを並列接続した電源システムの稼働時に、最初に電源異常が発生し、基準電圧外の電流値となった電源ユニットを検出できるという効果を持つ。その理由は、電源ユニットからのレベル信号である個別の出力電流報告信号が基準電圧外であるかどうかを検出し、電源ユニットからの電源異常信号がアクティブであれば、電源異常であると確定する構成を持つからである。
【発明を実施するための最良の形態】
【００２２】
次に、本発明の第１の形態の形態について図面を参照して詳細に説明する。図１は、本発明の第１の実施の形態の電源システムの構成を示すブロック図である。
【００２３】
図１を参照すると、本発明の第１の実施の形態の電源システムは、電源ユニット１−１、電源ユニット１−２、…、電源ユニット１−Ｎと、負荷２０（複数可）と、電源制御部３０と、表示部４０（たとえば、ディスプレイ装置、音響警告装置等）とを備える。
【００２４】
電源ユニット１−１〜電源ユニット１−Ｎは並列に接続されており負荷２０に電力供給を行う（出力電流を出力する）。電源ユニット１−１、電源ユニット１−２〜電源ユニット１−Ｎは、それぞれ、出力電流検出部１−１−１、出力電流検出部１−２−１〜出力電流検出部１−Ｎ−１、および、電源異常検出部１−１−２、電源異常検出部１−２−２〜電源異常検出部１−Ｎ−２を備える。
【００２５】
出力電流検出部１−１−１〜出力電流検出部１−Ｎ−１からの出力電流報告信号は、電源制御部３０に出力される。電源異常検出部１−１−２〜電源異常検出部１−Ｎ−２からの電源異常信号は、電源制御部３０に出力される。
【００２６】
電源制御部３０は、出力電流報告信号、および、電源異常信号を入力し、異常ユニット表示用信号を出力する。電源制御部３０は、電圧比較回路３−１−１、電圧比較回路３−１−２〜電圧比較回路３−１−Ｎと、ＡＮＤ回路３−２−１、ＡＮＤ回路３−２−２〜ＡＮＤ回路３−２−Ｎと、ＲＳフリップ・フロップ３−３−１、ＲＳフリップ・フロップ３−３−２〜ＲＳフリップ・フロップ３−３−Ｎ（情報が記憶できれば、他の記憶回路でもよい）と、リセット生成部３１と、エンコーダ３２と、ＮＯＲ回路３３とを備える。
【００２７】
表示部４０は、異常ユニット表示用信号を入力する。
【００２８】
次に、電源ユニット１−１〜電源ユニット１−Ｎの詳細について説明する。代表して電源ユニット１−１について説明する。図２は、電源ユニット１−１の１例の構成を示すブロック図である。図２を参照すると、電源ユニット１−１の出力電流検出部１−１−１は、出力端に電流検出抵抗Ｒ１を直列に接続する。出力電流検出部１−１−１は、差動増幅回路ＳＶ１により電流検出抵抗Ｒ１の両端電圧の電位差をとり、取り扱いが容易な出力電流に比例したアナログレベル電圧を持つ出力電流報告信号として、電源制御部３０に出力する。
【００２９】
また、電源異常検出部１−１−２は、出力電圧を抵抗により分圧した電圧を比較器ＣＭＰ１、および、比較器ＣＭＰ２に入力し、基準電圧と比較し、出力電圧が一定の範囲内から外れた場合にアクティブとなる電源異常信号を電源制御部３０に出力する。
【００３０】
図３は、電源ユニット１−１の他の例の構成を示すブロック図である。図３を参照すると、出力電流検出部１−１−１は、電源の１次回路内にカレントトランスＣＴ１を設け、平滑回路ＨＶ１で出力電流報告信号を生成する。カレントトランスＣＴ１の２次側に電源の１次回路に流れる電流の任意の倍数の電流が流れる。この電流を抵抗より電圧に変換し、平滑回路ＨＶ１が整流しアナログレベルの出力電流報告信号として電源制御部３０に出力する。
【００３１】
次に、本発明の第１の実施の形態の動作について図面を参照して説明する。稼働時に、電源ユニット１−１に異常が発生した場合について説明する。
【００３２】
通常時、電源制御部３０には、電源ユニット１−１〜電源ユニット１−Ｎから、電源異常信号、および、出力電流報告信号が入力されている。このとき、電源異常信号はアクティブ（たとえば、“１”）となっていないため、出力電流報告信号にかかわらず、表示部４０は、正常に動作していることを表示する。
【００３３】
もし、電源ユニット１−１で故障が発生、出力電圧を停止したとすると、供給能力が負荷２０の消費電流に対して不足するため、他の電源ユニット１−２〜電源ユニット１−Ｎに過電流電源異常が発生する。
【００３４】
電源ユニット１−１〜電源ユニット１−Ｎは、電源制御部３０に対して電源異常が発生したことを示す電源異常信号をアクティブ（“１”）にする。電源ユニット１−１〜電源ユニット１−Ｎから電源制御部３０に入力される出力電流報告信号は、出力電流に比例したレベル信号である。電源ユニット１−１が故障し、出力電流が減少することより、電源ユニット１−１から電源制御部３０への出力電流報告信号は、レベルが低下する。
【００３５】
また、他の電源ユニット１−２〜電源ユニット１−Ｎの出力電流報告信号は、電源ユニット１−１が故障したことにより出力電流が増大していることより、他の電源ユニット１−２〜電源ユニット１−Ｎの出力電流報告信号のレベルは増大する（あるいは、不安定になる。一時的にレベルが低下する可能性もある）。
【００３６】
電源制御部３０の電圧比較回路３−１−１は、出力電流報告信号と基準電圧とを比較すし、出力電流報告信号が基準電圧以下（または、未満）であると、出力を“１”にする。ＡＮＤ回路３−２−１は、電圧比較回路３−１−１の出力、電源異常信号、および、ＮＯＲ回路３３の出力の論理積を生成し出力する。
【００３７】
ここで、電圧比較回路３−１−１の出力と電源異常信号との論理積を生成する理由について説明する。電源異常信号は、出力電圧が一定の範囲内に入っていない場合にアクティブ（“１”）になる信号であり、電源ユニット１−１でアクティブになったとしても、電源ユニット１−１が原因でなく、他の電源ユニット１−２〜電源ユニット１−Ｎの影響である場合を含んでいる。また、出力電流報告信号は、負荷２０の動作状況により負荷２０が負荷電流をほとんど必要とせず、電源の出力電圧が正常に出力されている場合にも、基準電圧以下となる可能性がある。したがって、電圧比較回路３−１−１の出力と電源異常信号との論理積を生成し、出力電圧の異常が発生しておりかつ、故障により電流の出力を行っていないのが、電源ユニット１−１〜電源ユニット１−Ｎのどれであるのかを特定する精度を向上させている。
【００３８】
通常、ＮＯＲ回路３３の出力は、“１”である。ＡＮＤ回路３−２−１の出力、電源異常信号、および、ＮＯＲ回路３３の出力が、全て“１”であると（すなわち、電源異常が発生していると）、ＡＮＤ回路３−２−１は、“１”を出力する。
【００３９】
ＲＳフリップ・フロップ３−３−１は、ＡＮＤ回路３−２−１の出力を入力し、ＡＮＤ回路３−２−１の出力が、“０”から“１”に変化すると、内部値を“１”（すなわち、電源異常が発生していることを示す値）にセットする。エンコーダ３２は、ＲＳフリップ・フロップ３−３−１〜ＲＳフリップ・フロップ３−３−Ｎの出力を全て入力し、どの出力が“１”であるかを示す（すなわち、どの電源ユニットが電源異常であるかを示す）異常ユニット表示用信号を生成し出力する。たとえば、Ｎ＝１６であると、異常ユニット表示用信号は、５［ビット］（１ビットは、電源異常が有るかどうかを示す）でよい。
【００４０】
また、ＮＯＲ回路３３は、ＲＳフリップ・フロップ３−３−１〜ＲＳフリップ・フロップ３−３−Ｎの出力を全て入力し、１つでも“１”であると、値“０”を出力する。ＮＯＲ回路３３は、ＲＳフリップ・フロップ３−３−１〜ＲＳフリップ・フロップ３−３−Ｎのどれか１つがセットされると、他のＲＳフリップ・フロップ３−３−２〜ＲＳフリップ・フロップ３−３−Ｎがセットされないように動作する。すなわち、ＮＯＲ回路３３は、どの電源ユニット１−１〜電源ユニット１−Ｎで、最初に電源異常が発生したのかを切り分けるために設けられている。
【００４１】
表示部４０は、エンコーダ３２の出力である異常ユニット表示用信号を入力し、電源異常があることを検出すると、ディスプレイ等に電源異常の存在、および、どの電源ユニットが電源異常であるかを示す情報を表示する。表示部４０は、電源異常を示す警報ブザー（音響出力手段）を設けることも可能である。
【００４２】
また、リセット生成部３１は、電源ユニット１−１〜電源ユニット１−Ｎの修理後等に、電源制御部３０の外部からの指示により、リセット信号を生成し、ＲＳフリップ・フロップ３−３−１〜ＲＳフリップ・フロップ３−３−Ｎに出力する。ＲＳフリップ・フロップ３−３−１〜ＲＳフリップ・フロップ３−３−Ｎは、リセット信号を入力すると、内部値を“０”にリセットする。
【００４３】
本発明の第１の実施の形態は、稼働時に最初に電源異常が発生し、基準電圧より低い電流値となった電源ユニットを検出できるという効果を持つ。その理由は、レベル信号である出力電流報告信号が基準電圧以下（または、未満）であるかどうかを検出し、電源異常信号がアクティブであれば、電源異常であると確定する構成を持つからである。
【００４４】
次に、本発明の第２の実施の形態について図面を参照して詳細に説明する。図４は、本発明の第２の実施の形態の構成を示すブロック図である。図４を参照すると、本発明の第２の実施の形態は、本発明の第１の実施の形態の電圧比較回路３−１−１〜電圧比較回路３−１−Ｎを、電源制御３０に設ける替わりに、それぞれの電源ユニット１−１〜電源ユニット１−Ｎに、電圧比較回路１−１−３、電圧比較回路１−２−３〜電圧比較回路１−Ｎ−３として設ける構成である。
【００４５】
電圧比較回路１−１−３〜電圧比較回路１−Ｎ−３は、電源制御部３０に、低電流信号を出力する。電源制御部３０のＡＮＤ回路３−２−１〜ＡＮＤ回路３−２−１は、低電流信号、電源異常信号、および、ＮＯＲ回路３３の出力の論理積を生成する。以降は、本発明の第１の実施の形態と同一である。
【００４６】
したがって、本発明の第２の実施の形態は、それぞれの電源ユニット１−１〜電源ユニット１−Ｎに、電圧比較回路１−１−３〜電圧比較回路１−Ｎ−３として設けるので、電源制御部３０の構成が簡単になるという効果を持つ。
【００４７】
次に、本発明の第３の実施の形態について図面を参照して詳細に説明する。図５は、本発明の第３の実施の形態の構成を示すブロック図である。図５を参照すると、本発明の第３の実施の形態は、第２の実施の形態に比べ、電源ユニット１−１〜電源ユニット１−Ｎに、それぞれ、電圧比較回路１−１−３、電圧比較回路１−２−３〜電圧比較回路１−Ｎ−３と、電源異常信号との論理積である電源異常確定信号を生成し電源制御部３０に出力するＡＮＤ回路１−１−４、ＡＮＤ回路１−２−４〜ＡＮＤ回路１−Ｎ−４を設ける点が異なっている。
【００４８】
電源制御部３０のＡＮＤ回路３−２−１〜ＡＮＤ回路３−２−Ｎは、それぞれ、電源異常確定信号とＮＯＲ回路３３の出力との論理積を生成する。以降は、本発明の第２の実施の形態と同一である。
【００４９】
したがって、本発明の第３の実施の形態は、電源ユニット１−１〜電源ユニット１−Ｎと電源制御部３０との間の信号を減らすので、第１、第２の実施の形態に比較して、構成が簡単になるという効果を持つ。
【００５０】
次に、本発明の第４の実施の形態について詳細に説明する。本発明の第４の実施の形態は、本発明の第１、第２、または、第３の実施の形態において、電圧比較回路３−１−１〜電圧比較回路３−１−Ｎ、または、電圧比較回路１−１−３〜電圧比較回路１−Ｎ−３が、高電圧の基準値Ｖ１および、低電圧の基準値Ｖ２と出力電流報告信号との比較を行う。電圧比較回路３−１−１〜電圧比較回路３−１−Ｎ、または、電圧比較回路１−１−３〜電圧比較回路１−Ｎ−３は、出力電流報告信号の電圧＜（または、≦）高電圧の基準値Ｖ１、あるいは、出力電流報告信号の電圧＞（または、≧）であると、出力をアクティブ（“１”）にする。
【００５１】
したがって、本発明の第４の実施の形態は、高電圧、低電圧の異常を検出する構成により、第１〜第３の実施の形態に比べて、電圧異常の検出の精度が向上するという効果を持つ。
【図面の簡単な説明】
【００５２】
【図１】本発明の第１の実施の形態の電源システムの構成を示すブロック図。
【図２】電源ユニットの１例の構成を示すブロック図。
【図３】電源ユニットの他の例の構成を示すブロック図。
【図４】本発明の第２の実施の形態の構成を示すブロック図。
【図５】本発明の第３の実施の形態の構成を示すブロック図。
【符号の説明】
【００５３】
１−１    電源ユニット
１−２    電源ユニット
１−Ｎ    電源ユニット
１−１−１    出力電流検出部
１−２−１    出力電流検出部
１−Ｎ−１    出力電流検出部
１−１−２    電源異常検出部
１−２−２    電源異常検出部
１−Ｎ−２    電源異常検出部
１−１−３    電圧比較回路
１−２−３    電圧比較回路
１−Ｎ−３    電圧比較回路
１−１−４    ＡＮＤ回路
１−２−４    ＡＮＤ回路
１−Ｎ−４    ＡＮＤ回路
２０    負荷
３０    電源制御部
３１    リセット生成部
３２    エンコーダ
３３    ＮＯＲ回路
３−１−１    電圧比較回路
３−１−２    電圧比較回路
３−１−Ｎ    電圧比較回路
３−２−１    ＡＮＤ回路
３−２−２    ＡＮＤ回路
３−２−Ｎ    ＡＮＤ回路
３−３−１    ＲＳフリップ・フロップ
３−３−２    ＲＳフリップ・フロップ
３−３−Ｎ    ＲＳフリップ・フロップ
４０    表示部
Ｒ１    電流検出抵抗
ＳＶ１    差動増幅回路
ＣＭＰ１    比較器
ＣＭＰ２    比較器
ＣＴ１    カレントトランス
ＨＶ１    平滑回路
【図１】
2008054434.tif 000003
【図２】
2008054434.tif 000004
【図３】
2008054434.tif 000005
【図４】
2008054434.tif 000006
【図５】
2008054434.tif 000007